(57)【要約】【課題】低コスト化、軽量化、高機能化および省電力化できる照明システムを提供する。【解決手段】照明システムは、第１の照明器具１００と、第１の照明器具から供給される駆動電圧により照明する、少なくとも１つの第２の照明器具２００とを備え、第１の照明器具２００は、交流電圧を直流電圧に変換するＡＣ−ＤＣ変換部１２と、直流電圧を調光レベルに応じた駆動電圧に変換する駆動部１３と、駆動電圧により発光する固体発光素子を有する光源部１０と、調光レベルを駆動部１３に指示する制御部１６とを有し、第２の照明器具２００は、第１の照明器具から供給される駆動電圧により発光する光源部１０を有する。【選択図】図２
2016213140.tif 000002
【特許請求の範囲】
【請求項１】
第１の照明器具と、
前記第１の照明器具から供給される駆動電圧により照明する、少なくとも１つの第２の照明器具とを備え、
前記第１の照明器具は、
交流電圧を直流電圧に変換する変換部と、
前記直流電圧を調光レベルに応じた前記駆動電圧に変換する駆動部と、
前記駆動電圧により発光する固体発光素子を有する光源部と、
前記調光レベルを前記駆動部に指示する制御部と
を有し、
前記第２の照明器具は、
前記第１の照明器具から供給される前記駆動電圧により発光する光源部を有する
照明システム。
【請求項２】
前記第１の照明器具は、さらに、
消費電力の削減を指示するデマンドを受信する受信部を備え、
前記制御部は、前記受信部により前記デマンドが受信されたとき、前記光源部を減光または消灯するように前記駆動部を制御する
請求項１に記載の照明システム。
【請求項３】
前記第１の照明器具は、さらに、
充電可能な蓄電池と、
消費電力の削減を指示するデマンドを受信する受信部とを備え、
前記制御部は、前記受信部により前記デマンドが受信されたとき、前記変換部から駆動部への前記直流電圧の供給を停止し、前記蓄電池から駆動部に直流電圧を供給させる
請求項１に記載の照明システム。
【請求項４】
前記制御部は、夜間の第１の時間帯以外では前記蓄電池の充電を禁止する
請求項３に記載の照明システム。
【請求項５】
前記制御部は、昼間の第２の時間帯以外では前記デマンドを無視する
請求項３または４に記載の照明システム。
【請求項６】
前記第１の照明器具内および前記第２の照明器具内の前記光源部はそれぞれ、第１の色の照明光を発する第１の光源と、第２の色の照明光を発する第２の光源とを備え、
前記駆動部は、前記駆動電圧として第１の点灯電圧と第２の点灯電圧とを生成し、前記第１の照明器具内の前記第１、第２の光源に、前記第１、第２の点灯電圧をそれぞれ供給し、
前記第１の照明器具は、さらに、調光を指示する調光コマンドおよび調色を指示する調色コマンドを受信する通信部を備え、
前記制御部は、
前記受信部により調光を指示するコマンドが受信されたとき、当該コマンドに応じた明るさにするように、調光レベルを指示する第１および第２の調光信号を前記駆動部に出力し、
前記駆動部は、第１および第２の調光レベルに応じて第１および第２の点灯電圧を生成し、
前記通信部により調色を指示するコマンドが受信されたとき、当該コマンドに応じた照明色にするように前記第１の調光信号の調光レベルと第２の調光信号の調光レベルとの比率を調整する
請求項１〜５の何れか１項に記載の照明システム。
【請求項７】
前記第１の照明器具と前記第２の照明器具は、前記第１の点灯電圧および前記第２の点灯電圧を伝達する配線により接続され、
前記第２の照明器具内の前記第１の光源は、前記第１の照明器具から前記配線を介して供給される前記第１の点灯電圧により発光し、
前記第２の照明器具内の第２の光源は、前記第１の照明器具から前記配線を介して供給される前記第２の点灯電圧により発光する
請求項６に記載の照明システム。
【請求項８】
前記第１の照明器具と前記第２の照明器具とは、前記第１の点灯電圧を伝達する配線により接続され、
前記第１の照明器具は、さらに、前記第１の点灯電圧に、前記照明色を示すデータを重畳する変調部を備え、
前記第２の照明器具は、さらに、前記第１の照明器具から供給される前記第１の点灯電圧から前記照明色を示すデータを復調する復調部と、
前記第１の照明器具から供給される第１または第２の点灯電圧が入力され、復調されたデータに従って前記第１の点灯電圧および前記第２の点灯電圧を生成し、前記第２の照明器具内の前記第１および第２の光源に供給する調色制御部とを備える
請求項６に記載の照明システム。
【請求項９】
前記第１の照明器具と前記第２の照明器具とは、前記第１の点灯電圧を伝達する配線により接続され、
前記第１の照明器具は、さらに、
前記光源部の明るさと照明色とを対応させた調色データを記憶するメモリを有し、
前記制御部は、前記受信部により調光を指示するコマンドが受信されたとき、当該コマンドに応じた明るさにするように、前記第１および第２の点灯電圧に対応する調光レベルを指示する第１および第２の調光信号を前記駆動部に出力し、かつ、前記調色データに示される照明色にするように前記第１の調光信号の調光レベルと第２の調光信号の調光レベルとの比率を調整し、
前記第２の照明器具は、さらに、前記調色データを記憶するメモリと、
前記第１の照明器具から前記配線を介して供給される第１点灯電圧が入力され、前記調色データに示された照明色になるように前記第２の点灯電圧を生成し、前記第２の照明器具内の第２の光源に供給する調色制御部とを備える
請求項６に記載の照明システム。
【請求項１０】
前記第１の照明器具は、さらに、前記第１の照明器具近辺または前記第２の照明器具近辺の人の在不在を検知する人感センサを備え、
前記制御部は、前記人感センサが人の不在を検知したとき、前記光源部を減光または消灯するように前記駆動部を制御する
請求項１〜９の何れか１項に記載の照明システム。
【請求項１１】
前記制御部は、特定の時間帯以外では前記人感センサの検知を禁止する
請求項１０に記載の照明システム。
【請求項１２】
前記駆動部は、前記直流電圧を、調光レベルに応じた電圧値をもつ前記駆動電圧、および、調光レベルに応じてパルス変調した前記駆動電圧の一方に変換し、
前記第１の照明器具および前記第２の照明器具は、実質的に２線を有するケーブルによって接続される
請求項１〜５、８および９の何れか１項に記載の照明システム。
【請求項１３】
前記第１の照明器具内の前記光源部および前記第２の照明器具内の前記光源部はそれぞれ、互いに異なる発光色の第１の光源と第２の光源とを備え、
前記駆動部は、前記駆動電圧として、前記第１の光源用の第１の点灯電圧と、前記第２の光源用の第２の点灯電圧を生成し、
前記第１の照明器具および前記第２の照明器具は、実質的に３線を有するケーブルにより接続される
請求項１〜５の何れか１項に記載の照明システム。
【発明の詳細な説明】
【技術分野】
【０００１】
本発明は、複数の照明器具を有する照明システムに関する。
【背景技術】
【０００２】
例えば、特許文献１は、蛍光ランプを点灯させる照明装置であって、電源回路と複数の照明器具とを有する照明器具を開示している。この電源回路は、蛍光ランプを制御するための制御信号を、蛍光ランプを点灯させるための直流信号にのせて、該直流信号を接続線に送出する。また、照明器具は、接続線からの前記直流信号を、前記蛍光ランプを点灯させる交流信号に変換する機能を備え、直流信号の中から制御信号を検出すると、検出した制御信号に応じて蛍光ランプの点灯状態を制御する。
【０００３】
これにより、制御線は、電源回路と各照明器具との間では不要であり、操作部と電源回路との間にだけ配線すればよい。つまり、制御線の配線を短くしている。また、電源回路が複数の照明器具で共有されるので回路構成を簡単にしている。
【先行技術文献】
【特許文献】
【０００４】
【特許文献１】特開２００９−１３４８７６号公報
【発明の概要】
【発明が解決しようとする課題】
【０００５】
しかしながら、特許文献１は、低コスト化、軽量化および消費電力の低減が十分に図られていないという問題がある。例えば、各照明器具は、インバータとしてのスイッチング回路を必要とし、回路コストがかかる。また、明るさを変える調光機能を持たせることが困難である。
【０００６】
本発明は、低コスト化、軽量化、高機能化および省電力化に適した照明システムを提供することを目的とする。
【課題を解決するための手段】
【０００７】
上記目的を達成するために、本発明に係る照明システムの一形態は、第１の照明器具と、前記第１の照明器具から供給される駆動電圧により照明する、少なくとも１つの第２の照明器具とを備え、前記第１の照明器具は、交流電圧を直流電圧に変換する変換部と、前記直流電圧を調光レベルに応じた前記駆動電圧に変換する駆動部と、前記駆動電圧により発光する固体発光素子を有する光源部と、前記調光レベルを前記駆動部に指示する制御部とを有し、前記第２の照明器具は、前記第１の照明器具から供給される前記駆動電圧により発光する光源部を有する。
【発明の効果】
【０００８】
本発明に係る照明システムによれば、低コスト化、軽量化、高機能化および省電力化することができる。
【図面の簡単な説明】
【０００９】
【図１】図１は、実施の形態１に係る照明システムの構成例を示す図である。
【図２】図２は、実施の形態１に係る照明システムの構成例を示すブロック図である。
【図３】図３は、実施の形態１に係るセンサ処理の一例を示すフローチャートである。
【図４】図４は、実施の形態１に係るデマンド処理の一例を示すフローチャートである。
【図５】図５は、実施の形態１に係る省電力化処理の一例を示すフローチャートである。
【図６】図６は、実施の形態１に係る省電力化処理の他の例を示すフローチャートである。
【図７】図７は、実施の形態１に係るスケジュール処理の一例を示す説明図である。
【図８】図８は、実施の形態２に係る照明システムの構成例を示すブロック図である。
【図９Ａ】図９Ａは、実施の形態２に係る変調された第１の点灯電圧の第１例を示す図である。
【図９Ｂ】図９Ｂは、実施の形態２に係る変調された第１の点灯電圧の第１例における電圧と照明光の色との対応関係を示す図である。
【図１０Ａ】図１０Ａは、実施の形態２に係る変調された第１の点灯電圧の第２例を示す図である。
【図１０Ｂ】図１０Ｂは、実施の形態２に係る変調された第１の点灯電圧の第３例におけるパルス幅と照明光の色との対応関係を示す図である。
【図１１Ａ】図１１Ａは、実施の形態２に係る変調された第１の点灯電圧の第２例を示す図である。
【図１１Ｂ】図１１Ｂは、実施の形態２に係る変調された第１の点灯電圧の第３例におけるパルス幅とフェード時間との対応関係を示す図である。
【図１２】図１２は、実施の形態３に係る照明システムの構成例を示すブロック図である。
【図１３Ａ】図１３Ａは、実施の形態３に係る調色データの一例を示す図である。
【図１３Ｂ】図１３Ｂは、実施の形態３に係る調色データの他の例を示す図である。
【図１４】図１４は、変形例１に係る照明システムの構成例を示すブロック図である。
【図１５Ａ】図１５Ａは、変形例２に係る照明システムの構成例を示すブロック図である。
【図１５Ｂ】図１５Ｂは、変形例２に係る省電力化処理の一例を示すフローチャートである。
【図１５Ｃ】図１５Ｃは、変形例２に係る省電力化処理の他の例を示すフローチャートである。
【図１６】図１６は、変形例３に係る照明システムの構成例を示すブロック図である。
【図１７】図１７は、変形例３に係る点灯装置および第２の照明器具の構成例を示すブロック図である。
【発明を実施するための形態】
【００１０】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置および接続形態、ステップおよびステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１１】
（実施の形態１）
以下、図面を用いて本実施の形態における照明システムについて説明する。
【００１２】
［１．１  照明システムの構成］
まず、照明システムの全体構成について説明する。
【００１３】
図１は、実施の形態１に係る照明システムの構成例を示す図である。同図の照明システムは、第１の照明器具１００、少なくとも１つの第２の照明器具２００、リモコン３００を備える。
【００１４】
第１の照明器具１００および第２の照明器具２００は、例えば、天井に設置されるダウンライト型または直管型などの照明器具である。
【００１５】
第１の照明器具１００は、交流電源ＡＣに接続され、少なくとも調光機能を有し、さらに、第２の照明器具２００に直流の駆動電圧ＤＣを供給する。ここでいう駆動電圧ＤＣは、第１の照明器具１００の点灯用、かつ第２の照明器具２００への電力供給用であり、例えば、５０Ｖ以下の直流電圧である。
【００１６】
第２の照明器具２００は、第１の照明器具１００から供給される駆動電圧ＤＣにより照明する。１台の第１の照明器具１００に接続可能な第２の照明器具２００の台数は、例えば３台以下または５台以下等でよい。この接続可能台数は、第１の照明器具１００の電力供給能力に応じて定めればよい。
【００１７】
リモコン３００は、第１の照明器具１００の照明機能を制御する。具体的には、リモコン３００は、第１の照明器具１００に対して、点灯を指示する点灯コマンド、消灯を指示する消灯コマンド、明るさの指示する調光コマンド、色温度を指示する調色コマンド等を送信する。
【００１８】
［１．２  照明器具の構成］
次に、第１の照明器具１００および第２の照明器具２００より具体的な構成例について説明する。
【００１９】
図２は、実施の形態１に係る照明システムの構成例を示すブロック図である。同図のように、第１の照明器具１００は、光源部１０、点灯装置１１を備える。点灯装置１１は、ＡＣ−ＤＣ変換部１２、駆動部１３、受信部１４ａ、通信部１４ｂ、人感センサ１５、制御部１６、蓄電池２０、充電回路２１、切り替え部２２、接続部材３０ａを備える。
【００２０】
光源部１０は、駆動部１３から供給される駆動電圧ＤＣにより発光する少なくとも１つの固体発光素子を有する。固体発光素子は、例えば、ＬＥＤ（Light Emitting Diode）、または有機ＥＬ（Electro-Luminescence）発光素子でよい。光源部１０は、第１の色の照明光を発する第１の光源と、第２の色の照明光を発する第２の光源とを備える。同図では、第１光源は光源１０ｗおよび光源１０ｒの一方であり、第２の光源は他方である。ここでは、第１の色は白色、第２の色は赤色とあるものとする。例えば、光源１０ｗは、直列接続された複数の白色ＬＥＤからなる。また、光源１０ｒは、直列接続された複数の赤色ＬＥＤからなる。光源１０ｒと光源１０ｗの発光量の比率を変えることにより、赤っぽい照明光から白い照明光まで色温度を変更つまり調色することができる。第１の色、第２の色は先の例に限らず、第１の色はより高い色温度の色とし、第２の色はより低い色温度の色とするように、任意に設定できる。
【００２１】
点灯装置１１は、第１の照明器具１００から光源部１０を除いた部分であり、光源部１０を点灯させる回路、つまり電力を供給し、調光および調色を制御する回路である。
【００２２】
ＡＣ−ＤＣ変換部１２は、交流電圧を直流電圧に変換する。ＡＣ−ＤＣ変換部１２は、例えば、１００Ｖの交流電圧を５０Ｖ以下の直流電圧ＤＣ１に変換する。
【００２３】
駆動部１３は、直流電圧ＤＣ１または直流電圧ＤＣ２を調光レベルに応じた駆動電圧ＤＣに変換し、光源部１０に供給する。具体的には、駆動部１３は、駆動電圧ＤＣとして第１の点灯電圧および第２の点灯電圧を生成し、第１の点灯電圧を光源１０ｗに、第２の点灯電圧を光源１０ｒに供給する。上記の駆動電圧ＤＣは第１の点灯電圧と第２の点灯電圧とを含む。同図では、駆動部１３は、駆動回路１３ｗと駆動回路１３ｒとを備える。
【００２４】
駆動回路１３ｗは、制御部１６からの調光信号ｗによって指示される調光レベルに応じた第１の点灯電圧を光源１０ｗに供給する。第１の点灯電圧は、例えば、調光レベルに応じた大きさの電圧値をもつ定電圧信号、または、調光レベルに応じたデューティのＰＷＭ（Pulse Width Modulation）信号である。駆動回路１３ｗは、上記の電圧値、デューティを、制御部１６からの調光信号ｗに従って決定する。
【００２５】
駆動回路１３ｒは、制御部１６からの調光信号ｒによって指示される調光レベルに応じた第２の点灯電圧を光源１０ｒに供給する。第２の点灯電圧は、上記の定電圧信号またはＰＷＭ信号である。
【００２６】
受信部１４ａは、消費電力の削減を指示するデマンドを受信する。デマンドは、例えば、配電盤に設置された電力量制御装置から、ピーク消費電力を低減するために送信される。電力量制御装置は、例えば、電力会社から電力供給を受ける契約単位毎に設けられる。受信部１４ａと電力量制御装置との接続は、有線通信でも無線通信でもよい。電力量制御装置は、消費電力の測定や予測する機能を有してもよく、使用できる電力を予測する機能を有しても構わない。電力量制御装置は、消費電力や電力会社から受ける情報に応じて、消費電力の削減を指示するデマンドを送信するように構成できる。
【００２７】
通信部１４ｂは、リモコン３００から点灯コマンド、消灯コマンド、調光コマンド、調色コマンド等を受信する。通信部１４ｂとリモコン３００との接続は、有線通信でも無線通信でもよい。また、受信部１４ａと通信部１４ｂとは１つの受信部でもよい。その場合、デマンドおよびコマンドは同じ通信経路、同じプロトコルで送信されてもよい。受信部１４ａおよび通信部１４ｂを合わせて単に受信部１４と呼ぶ。
【００２８】
人感センサ１５は、第１の照明器具１００近辺または第２の照明器具２００近辺の人の在不在を検知する。検知範囲は、第１の照明器具１００および第２の照明器具２００の照明範囲にまで広く及んでいてもよい。
【００２９】
制御部１６は、点灯、消灯、調光および調色を駆動部１３に指示する。例えば、制御部１６は、駆動回路１３ｗに調光レベルを示す調光信号ｗを指示し、駆動回路１３ｒに調光レベルを示す調光信号ｒを指示する。通信部１４ｂで調光コマンドが受信されたとき、制御部１６は、調光コマンドに従って、調光信号ｗの値および調光信号ｒの値を決定し、駆動回路１３ｗおよび駆動回路１３ｒに指示する。こうして制御部１６は、リモコン３００からの調光指示に従った明るさで光源部１０を点灯させる。
【００３０】
また、制御部１６は、通信部１４ｂで調色コマンドが受信されたとき、調色コマンドに従って光源１０ｒと光源１０ｗの発光量の比率を決定し、当該比率を調光信号ｗおよび調光信号ｒに反映させる。その結果、調光信号ｗと調光信号ｒの比率は、第１の点灯電圧および第２の点灯電圧の定電圧値またはデューティに反映され、光源１０ｗの白色光と光源１０ｒの赤色光との混合比となる。こうして制御部１６は、リモコン３００からの調光指示に従った照明光の色または色温度で光源部１０を点灯させる。
【００３１】
さらに、制御部１６は、受信部１４ａでデマンドが受信されたとき、ＡＣ−ＤＣ変換部１２から駆動部１３への直流電圧ＤＣ１の供給を停止し、蓄電池２０から駆動部１３に直流電圧ＤＣ２を供給させるように切り替え部２２を切り替える。なお、蓄電池２０の残量がしきい値よりも少ない場合は、制御部１６は、この切り替えをしないで、第１の照明器具１００および第２の照明器具２００を減光または消灯するようにしてもよい。このしきい値は例えばフル充電容量の５％〜１５％の範囲内でよい。このしきい値は、５％〜１５％に限らず、フル充電容量からの任意の比率で設定可能とすることができる。
【００３２】
また、制御部１６は、人感センサ１５が人の不在を検知したとき、光源部１０を減光または消灯するように駆動部１３を制御する。
【００３３】
蓄電池２０は、充電可能な二次電池である。
【００３４】
充電回路２１は、ＡＣ−ＤＣ変換部１２から出力される直流電圧ＤＣ１を用いて蓄電池２０を充電する。充電回路２１には制御部１６からイネーブル信号が入力され、充電回路２１は、イネーブル信号が有効なときは充電可能であり、イネーブル信号が無効なときは充電をしない。
【００３５】
切り替え部２２は、制御部１６からの制御信号に従って、ＡＣ−ＤＣ変換部１２からの直流電圧ＤＣ１および蓄電池２０からの直流電圧ＤＣ２の一方を選択的に駆動部１３に出力する。切り替え部２２は、例えば、スイッチトランジスタ、ダイオードにより構成される。
【００３６】
接続部材３０ａは、駆動部１３からの駆動電圧ＤＣを第２の照明器具２００に出力するためのコネクタであり、ケーブル３０に接続される。ケーブル３０は、一端に接続部材３０ｂ、他端に接続部材３０ａを有する。接続部材３０ａは、ケーブル３０を介して第２の照明器具２００に接続される。同図では、駆動電圧ＤＣは第１の点灯電圧と第２の点灯電圧とを含むので、ケーブル３０は、第１の点灯電圧、第２の点灯電圧、グラウンドレベルに対応する実質３線のケーブルである。実質３線というのは、線材の数ではなく信号の数をいう。例えば、グラウンドレベルに２つの線材、第１、第２の点灯電圧のそれぞれに１つの線材が対応する４つの線材をもつケーブルでも実質３線である。なお、接続部材３０ａおよび３０ｂの代わりに、線材の端部を電気的に接続する端子台を備えていてもよい。
【００３７】
また、同図に示すように、第２の照明器具２００は、光源部１０、接続部材３０ａおよび接続部材３０ｂを備える。光源部１０、接続部材３０ａおよび接続部材３０ｂは、第１の照明器具１００およびケーブル３０の同符号の構成要素と同じでよい。第２の照明器具２００は、第１の照明器具１００からケーブル３０を介して駆動電圧ＤＣ（つまり第１の点灯電圧と第２の点灯電圧）を受けるので、第１の照明器具１００内の駆動部１３によって点灯、消灯、調光および調色される。
【００３８】
［２  照明システムの動作］
以上のように構成された実施の形態１における照明システムについて、以下その動作についてセンサ処理例、デマンド処理例、スケジュール処理例に分けて説明する。
【００３９】
［２．１  センサ処理例］
まず、センサ処理例について説明する。
【００４０】
図３は、実施の形態１に係るセンサ処理の一例を示すフローチャートである。同図のように、制御部１６は、人感センサ１５が人の不在を検知したとき（Ｓ３１でｎｏ）、光源部１０を減光または消灯するように駆動部１３を制御する（Ｓ３３）。減光か消灯かは、予め設定され、例えば昼間であれば減光、夜間であれば消灯としてもよい。減光は、現在の調光レベル（つまり設定された調光レベル）から暗くすること、例えば５０％の明るさにすることである。
【００４１】
一方、制御部１６は、人感センサ１５が人の存在を検知したとき（Ｓ３１でｙｅｓ）、設定された調光レベルで点灯するように駆動部１３を制御し（Ｓ３２）、その後一定時間経過したとき（Ｓ３４でｙｅｓ）、ステップＳ３１に戻る。一定時間を経過しない間は（Ｓ３４でｎｏ）、点灯状態が維持される。
【００４２】
このように、人が不在のとき光源部１０は減光または消灯されるので、さらに省電力化することができる。
【００４３】
なお、制御部１６は、予め設定された時間帯に人感センサ１５をオンまたはイネーブルにし、それ以外をオフまたはディスエーブルに制御し、人感センサ１５がオフまたはディスエーブルのとき、図３の処理をしないようにしてもよい。
【００４４】
［２．２  デマンド処理例］
次に、デマンド処理例について説明する。
【００４５】
図４は、実施の形態１に係るデマンド処理の一例を示すフローチャートである。同図のように、受信部１４ａが消費電力の削減を指示するデマンドを受信したとき（Ｓ４１）、制御部１６は、省電力処理を行う（Ｓ４２）。
【００４６】
図５は、実施の形態１に係る省電力化処理Ｓ４２の一例を示すフローチャートである。同図において、制御部１６は、駆動部１３への直流電圧の供給元を、ＡＣ−ＤＣ変換部１２から蓄電池２０に切り替える（Ｓ５１）。具体的には、制御部１６は、ＡＣ−ＤＣ変換部１２から駆動部１３への直流電圧の供給を停止するように切り替え部２２を切り替えることにより、蓄電池２０から駆動部１３に直流電圧を供給させる。
【００４７】
このように、第１の照明器具１００は、デマンドに応じて電源供給元を交流電源から蓄電池２０に切り替えるので、外部電力の消費を低減または停止することができる。
【００４８】
なお、制御部１６は、図５の代わりに図６の省電力化処理Ｓ４２を実行してもよい。図６は、実施の形態１に係る省電力化処理の他の例を示すフローチャートである。同図は、図５と比べて、センサ処理（Ｓ６１）が追加されている。このセンサ処理は、図３と同じでよい。
【００４９】
こうすれば、第１の照明器具１００は、デマンドに応じて電源供給元を交流電源から蓄電池２０に切り替えるので、外部電力の消費を低減または停止することができ、さらに、蓄電池２０の消費電力を低減することができる。
【００５０】
［２．３  スケジュール処理例］
続いて、スケジュール処理例について説明する。
【００５１】
図７は、実施の形態１に係るスケジュール処理の一例を示す説明図である。同図は、スケジュールをテーブルデータにより表している。このテーブルデータは、制御部１６内のメモリにユーザにより予め設定される。同図において「開始時刻−終了時刻」は時間帯を示す。「デマンド処理」は例えば図４〜６の処理を示す。「センサ処理」は例えば図３の処理を示す。「充電処理」は充電回路２１による蓄電池２０の充電動作を示す。「調光処理」は、リモコン３００からの調光コマンドに従って明るさを増減する処理を示す。「調色処理」は、リモコン３００からの調色コマンドに従って色温度または照明光の色を変更する処理を示す。また、「０」は処理をしないことを、「１」は処理をすることを示す。
【００５２】
たとえば、０：００−７：００の時間帯では、制御部１６は充電処理を行い、これ以外の処理を行わない。７：００−１２：００の時間帯では、制御部１６はセンサ処理、調光処理および調色処理を行い、これ以外の処理を行わない。
【００５３】
このように、時間帯毎に実行すべき処理と実行しない処理をスケジューリングすることにより、照明システムの設置環境に応じて省電力化を最適化することができる。
【００５４】
以上説明してきたように本実施の形態における照明システムは、低コスト化、軽量化および省電力することができる。すなわち、交流を直流に変換するＡＣ−ＤＣ変換部１２は第１の照明器具１００内に１つ備えればよく、第２の照明器具２００は備えないので低コスト化することができる。また、高機能化として調光機能を有し、第１の照明器具１００と同じ明るさで第２の照明器具２００を点灯させることができる。言い換えれば、第１の照明器具１００および複数の第２の照明器具２００の調光機能は、第１の照明器具１００が一括して制御することができる。
【００５５】
また、ＡＣ−ＤＣ変換部１２は、一般に、小電力出力では変換効率が悪化する。この点で、第２の照明器具２００がＡＣ−ＤＣ変換部１２を個別に備える場合と比べて、ＡＣ−ＤＣ変換部１２の小電力出力を回避できるので、ＡＣ−ＤＣ変換部１２の変換効率を向上させ、省電力化することができる。光源部１０が発光効率の高い固体発光素子を有することにより省電力化することできる。
【００５６】
さらに、第２の照明器具２００がＡＣ−ＤＣ変換部１２を個別に備える場合と比べて、第２の照明器具２００を軽量化および小型化することができる。
【００５７】
さらに、第２の照明器具２００のそれぞれを、第１の照明器具１００と同じ明るさ、同じ照明色または色温度にすることができる。つまり、第１の照明器具１００の制御の下で第１の照明器具１００および各第２の照明器具２００を、調色コマンドに従って照明色または色温度を変更することができる。例えば、２つの光源の発光色が白色と赤色であれば、照明色を赤っぽい色から白っぽい色まで変更することができる。また、例えば、２つの光源の発光色が三原色のうちの２つであり、もう一色に対応する光源も備えれば、第２の照明器具２００のそれぞれを、第１の照明器具１００と同じ明るさ、同じ色温度または同じ照明色に幅広く変更することができる。第２の照明器具２００は、内部に調光および調色を制御する回路を備えなくても、調光および調色という高機能であり、かつ、第２の照明器具２００を低コスト化することができる。
【００５８】
（実施の形態２）
次に、実施の形態２における照明システムについて説明する。実施の形態１では、実質３線のケーブル接続により、第１の照明器具１００の制御の下で第２の照明器具２００を調光および調色を可能にしている。これに対して、実施の形態２では、実質２線のケーブル接続により調光および調色を可能にする照明システムについて説明する。
【００５９】
図８は、実施の形態２に係る照明システムの構成例を示すブロック図である。同図は、図２と比べて、主に、第１の照明器具１００に変調部１７が追加された点と、ケーブル３０が実質３線ではなく実質２線である点と、第２の照明器具２００に復調部２５および調色制御部２６が追加された点とが異なっている。以下、異なる点を中心に説明する。
【００６０】
変調部１７は、制御部１６からの調色信号ｃを第１の点灯電圧に重畳する変調を行う。調色信号ｃは光源部１０の調色を指示する信号であり、例えば光源１０ｗの発光量と光源１０ｒの発光量との比率、または第１の点灯電圧と第２の点灯電圧の定電圧値との比率を表す。
【００６１】
ここで変調部１７による変調例について説明する。
【００６２】
図９Ａは、実施の形態２に係る変調された第１の点灯電圧の第１例を示す図である。図９Ｂは、実施の形態２に係る変調された第１の点灯電圧の第１例における電圧と照明光の色との対応関係を示す図である。
【００６３】
図９Ａにおいて、第１の点灯電圧は、現在の調光レベルとしてαＶの電圧値を有するものとする。同図のパルス幅γ０の負パルスは、調光信号を表す。この例では、負パルスの低い方のレベルは、β１Ｖ以下でβ２Ｖ以上の値に設定され、色温度、または第１の点灯電圧による発光量と第２の点灯電圧による発光量との比率を示す。図９Ｂに示すように負パルスの低い方のレベルがβ１Ｖである場合は色温度が６５００Ｋ（白っぽい色）、または第１の点灯電圧による発光量と第２の点灯電圧による発光量との比が１：０であることを示す。また、負パルスの低い方のレベルがβ２Ｖである場合は色温度が３０００Ｋ（赤っぽい色）、または第１の点灯電圧の発光量と第２の点灯電圧による発光量との比が０：１であることを示す。負パルスの低い方のレベルがβ１Ｖとβ２Ｖの間の値ＬＶであれば、光源１０ｗの発光量と光源１０ｒの発光量との比はｘ：（１−ｘ）で表される。ここで、ｘは０以上１以下の値であり、ｘ＝（Ｌ−β２）／（β１−β２）である。
【００６４】
この変調により、第２の照明器具２００は、第２の点灯電圧の供給を受ける必要がなく、変調された第１の点灯電圧から第２の点灯電圧を生成する。また、負パルスのパルス幅γ０は、例えば数μＳ〜数百Ｓでもよく、任意に定めればよい。負パルスの送信タイミングは、定期的または調色を変更する時に、１つ以上の負パルスを送信すればよい。
【００６５】
ケーブル３０は、変調された第１の点灯電圧とグラウンドレベルの実質２線のケーブルである。
【００６６】
復調部２５は、変調された第１の点灯電圧から色温度または上記の比率ｘを復調し、復調結果を示す調色信号ｃを調色制御部２６に出力する。
【００６７】
調色制御部２６は、第１の照明器具１００からケーブル３０を介して供給される第１の点灯電圧を光源１０ｗに供給し、復調部２５からの調色信号ｃに従って第１の点灯電圧から第２の点灯電圧を生成し光源１０ｒに供給する。
【００６８】
このように、第２の照明器具２００は、復調部２５および調色制御部２６を備えることにより、第１の点灯電圧とグラウンドレベルとの２種類の実質２線で第１の照明器具１００と接続でき、調光および調色の機能を備え、かつ、配線が容易で、配線コストを低減することができる。
【００６９】
続いて、第１の点灯電圧の変調について他の例について説明する。
【００７０】
図１０Ａは、実施の形態２に係る変調された第１の点灯電圧の第２例を示す図である。図１０Ｂは、実施の形態２に係る変調された第１の点灯電圧の第２例におけるパルス幅と照明光の色との対応関係を示す図である。図１０Ａ、図１０Ｂは、図９Ａ、図９Ｂと比べて、負パルスの低い方のレベルに情報を載せる代わりに、負パルスのパルス幅に情報を載せる点が異なっている。以下異なる点を中心に説明する。負パルスのパルス幅ＷはＤ１〜Ｄ２の範囲内に設定され、色温度、または第１の点灯電圧による発光量と第２の点灯電圧による発光量との比率ｙ：（１−ｙ）を示す。ここで、ｙ＝（Ｗ−Ｄ２）／（Ｄ１−Ｄ２）である。
【００７１】
このような変調の第２例によっても、第１例と同様の効果を得ることができる。
【００７２】
また、図１１Ａは、実施の形態２に係る変調された第１の点灯電圧の第３例を示す図である。図１１Ｂは、実施の形態２に係る変調された第１の点灯電圧の第３例におけるパルス幅とフェード時間との対応関係を示す図である。図１１Ａ、図１１Ｂは、図９Ａ、図９Ｂと比べて、負パルスの低い方レベルに情報を載せる点は同じであり、さらに、負パルスのパルス幅にフェード時間を示す情報を載せる点が異なっている。以下異なる点を中心に説明する。なお、図９Ｂは、図１１Ａの変調の第３例においても該当する。
【００７３】
負パルスのパルス幅はＦ１〜Ｆ２の範囲内に設定され、調色つまり照明色または色温度を変化させるときのフェード時間を示す。図１１Ｂにおいて、パルス幅Ｆ１は、フェード時間Ｔ１をかけて照明色または色温度を変化させることを示す。パルス幅Ｆ２は、フェード時間Ｔ２をかけて照明色または色温度を変化させることを示す。フェード時間Ｔ１、Ｔ２は、例えば、０．５秒、５秒等でよく、任意に定めればよい。
【００７４】
このような変調の第３例によっても、第１例と同様の効果を得ることができ、しかも、調色においてフェード時間を指定することができる。
【００７５】
（実施の形態３）
次に、実施の形態３における照明システムについて説明する。実施の形態３では、実施の形態２と同様に、実質２線のケーブル接続により調光および調色を可能にする照明システムであって、実施の形態２よりも簡易かつ快適な調色をする照明システムについて説明する。
【００７６】
図１２は、実施の形態３に係る照明システムの構成例を示すブロック図である。同図は、図２と比べて、主として、第１の照明器具１００に調色データを記憶するメモリ２７が追加された点と、第２の照明器具２００にメモリ２７と調色制御部２６が追加された点とが異なっている。以下異なる点を中心に説明する。
【００７７】
第１の照明器具１００内および第２の照明器具２００内のメモリ２７は、調光と調色とを連動させる、いわゆるシンクロ調色をするための調色データを記憶する。ここで、調色データについて図１３Ａおよび図１３Ｂを用いて説明する。
【００７８】
図１３Ａは、調色データの一例を示す図である。同図の調色データは、明るさが増すにつれて色温度が高くなるように設定されている。
【００７９】
また、図１３Ｂは、調色データの他の例を示す図である。同図の調色データは、色温度が低い赤っぽい光のとき（２２００Ｋ〜２７００Ｋ）は明るさを抑え、色温度が高い青白い光のとき（２７００Ｋ〜５０００Ｋ）はしっかり明るくするように設定されている。言い換えれば、光色と明るさで人が快適と感じるように調光レベルと調色レベルとが設定されている。
【００８０】
ケーブル３０は、第１の点灯電圧とグランドレベルの実質２線のケーブルである。なお、ケーブル３０は、第２の点灯電圧とグラウンドレベルの実質２線のケーブルであってもよい。
【００８１】
第２の照明器具２００の調色制御部２６は、第１の照明器具１００からケーブル３０を介して入力される第１の点灯電圧の調光レベルおよび明るさを判別し、判別した明るさから第２の点灯電圧の調光レベルをメモリ２７の調色データから決定し、決定した調光レベルの第２の点灯電圧を生成する。なお、ケーブル３０が第２の点灯電圧とグラウンドレベルの実質２線である場合は、調色制御部２６は、第２の点灯電圧の調光レベル、および調色データから第１の点灯電圧の調光レベルを決定してもよい。
【００８２】
以上のように本実施の形態によれば、調色は調光と連動、つまり、調光により明るさを変化させれば照明色も自動的に変更することができる。また、第２の照明器具２００は、調色データに従う調色制御部２６を備えるので、第1の点灯電圧または第２の点灯電圧と、グラウンド電圧との２種類の実質２線で第１の照明器具１００と接続でき、配線が容易で、配線コストを低減することができる。
【００８３】
（変形例１）
続いて、上記実施の形態の変形例について説明する。
【００８４】
まず、変形例１について説明する。実施の形態１では、白色光と赤色光の２つの発光色を有する照明システムを説明した。本変形例では、赤色光、緑色光、青色光の３つの発光色を有する照明システムについて説明する。
【００８５】
図１４は、変形例１に係る照明システムの構成例を示すブロック図である。同図は、図２と比べて、駆動回路１３ｗの代わりに駆動回路１３ｇおよび駆動回路１３ｂを備える点と、第１の照明器具１００内および第２の照明器具２００内において第１および第２の光源の代わりに第１〜第３の光源を備える点と、ケーブル３０が実質３線ではなく実質４線である点とが異なる。以下、異なる点を中心に説明する。なお、変形例１では、駆動回路１３ｒ、１３ｇ、１３ｂから光源１０ｒ、１０ｇ、１０ｂに供給される電力をそれぞれ第１、第２、第３の点灯電圧と呼ぶ。
【００８６】
駆動回路１３ｇは、制御部１６からの調光信号ｇによって指示される調光レベルに応じた第２の点灯電圧を光源１０ｇに供給する。
【００８７】
駆動回路１３ｂは、制御部１６からの調光信号ｂによって指示される調光レベルに応じた第３の点灯電圧を光源１０ｂに供給する。
【００８８】
第１〜第３の光源は、同図の光源１０ｒ、１０ｇ、１０ｂに対応する。対応関係は問わない。
【００８９】
光源１０ｇは、直列接続された複数の緑色ＬＥＤからなる。また、光源１０ｂは、直列接続された複数の青色ＬＥＤからなる。光源１０ｒ、１０ｇ、１０ｂの発光量の比率を変えることにより、実施の形態１よりも広い範囲で照明色または色温度を変更つまり調色することができる。
【００９０】
ケーブル３０は、第１〜第３の点灯電圧、グラウンドレベルの実質４線のケーブルである。
【００９１】
以上のように変形例１の照明システムによれば、実施の形態１の効果に加えて、三原色の光源を有することから、調色の自由度が高く、幅広い調色をすることができる。
【００９２】
なお、変形例１の照明システムにおいて、実施の形態２に示した変調部１７、復調部２５、調色制御部２６を備え、ケーブル３０を実質２線にしてもよい。例えば、ケーブル３０は第１〜第３の点灯電圧の何れか１つとグラウンドレベルとを伝達し、変調部１７および復調部２５によって当該点灯電圧に色温度を変調すればよい。
【００９３】
また、変形例１の照明システムにおいて、実施の形態３に示した変調部１７、復調部２５、メモリ２７を備え、ケーブル３０を実質２線にしてもよい。
【００９４】
（変形例２）
次に変形例２について説明する。変形例２では、蓄電池を備えない照明システムについて説明する。
【００９５】
図１５Ａは、変形例２に係る照明システムの構成例を示すブロック図である。同図は、図２と比べて、蓄電池２０、充電回路２１および切り替え部２２が削除された点が異なっている。以下、異なる点を中心に説明する。
【００９６】
変形例２の照明システムは、蓄電池２０を有しないので、図５、図６の省電力化処理の代わりに図１５Ｂ、図１５Ｃの省電力化処理を行う。
【００９７】
図１５Ｂは、変形例２に係る省電力化処理の一例を示すフローチャートである。同図は、図５の蓄電池２０に切り替えるステップＳ５１の代わりに減光または消灯をするステップＳ５１ａを有する点が異なる。これ以外は図５と同じである。減光するか消灯するかは、照明システムの設定環境に応じて定めればよい。また、変形例２の照明システムは、図７のうち充電処理は行わない。
【００９８】
また、図１５Ｃは、変形例２に係る省電力化処理の他の例を示すフローチャートである。同図は、図６の蓄電池２０に切り替えるステップＳ５１の代わりに減光または消灯をするステップＳ５１ａを有する点が異なる。これ以外は図６と同じである。
【００９９】
また、変形例２の照明システムは、図７のうち充電処理は行わない。
【０１００】
以上のように変形例２の照明システムによれば、実施の形態１の効果に加えて、蓄電池を有しないことから、さらに小型化、軽量化、低コスト化することができる。
【０１０１】
（変形例３）
さらに、変形例３について説明する。変形例３では、第１の照明器具１００の代わりに点灯装置を備える照明システムについて説明する。
【０１０２】
図１６は、変形例３に係る照明システムの構成例を示す図である。同図は、図１と比べて、第１の照明器具１００の代わりに点灯装置１１を備える点が異なっている。
【０１０３】
図１７は、変形例３に係る点灯装置１１および第２の照明器具２００の構成例を示すブロック図である。同図の点灯装置１１は、図２と比べて、第１の照明器具１００から光源部１０が削除された構成である。以下、異なる点を中心に説明する。
【０１０４】
点灯装置１１は、第１の照明器具１００から光源部１０が削除された構成であることから、自ら照明しないで、もっぱら第２の照明器具２００に電力を供給する。言い換えれば、点灯装置１１は、第２の照明器具２００に電力を供給する電源装置であり、かつ、調光および調色を制御する装置である。
【０１０５】
以上のように変形例３の照明システムによれば、第２の照明器具２００の小型化、軽量化、低コスト化を徹底することができる。例えば、実施の形態１で第１の照明器具１００と第２の照明器具２００の外観を同じする場合は、回路規模が大きい第１の照明器具１００よりも、第２の照明器具２００を小型化することができない。変形例３では、第２の照明器具２００を実施の形態１よりもはるかに小型化。軽量化、低コスト化することができる。
【０１０６】
なお、変形例３の照明システムにおいて、実施の形態２に示した変調部１７、復調部２５、調色制御部２６を備え、ケーブル３０を実質２線にしてもよい。例えば、ケーブル３０は第１〜第３の点灯電圧の何れか１つとグラウンドレベルとを伝達し、変調部１７および復調部２５によって当該点灯電圧に色温度を変調すればよい。
【０１０７】
また、変形例３の照明システムにおいて、実施の形態３に示した変調部１７、復調部２５、メモリ２７を備え、ケーブル３０を実質２線にしてもよい。
【０１０８】
また、上述の各実施の形態における照明システムにおいて、駆動回路１３は調光レベルに応じた大きさの電流を供給するように構成することもできる。このとき、制御部１６からは駆動回路１３に対して、駆動回路１３が供給する電流値を指示するための定電流信号を送る。駆動回路１３が供給する電流値は、第１の照明器具１００や第２の照明器具２００の個数に応じた電流となるように構成しても構わない。さらに、駆動回路１３が調光レベルに応じた大きさの電流を供給する場合において、第１の照明器具１００や、第２の照明器具２００の各光源１０ｗが直列に接続されるように構成することもできる。また、同時に各光源１０ｒも直列に接続されるように構成しても構わない。
【０１０９】
以上のように各実施の形態に係る照明システムは、第１の照明器具１００と、前記第１の照明器具から供給される駆動電圧により照明する、少なくとも１つの第２の照明器具２００とを備え、前記第１の照明器具１００は、交流電圧を直流電圧に変換する変換部１２と、前記直流電圧を調光レベルに応じた前記駆動電圧に変換する駆動部１３と、前記駆動電圧により発光する固体発光素子を有する光源部１０と、前記調光レベルを前記駆動部１３に指示する制御部１６とを有し、第２の照明器具２００は、第１の照明器具から供給される駆動電圧により発光する光源部１０を有する。
【０１１０】
これによれば、照明システムの低コスト化、軽量化および省電力することができる。すなわち、交流を直流に変換する変換器は第１の照明器具１００内に１つ備えればよいので低コスト化することができる。高機能化として調光機能を有し、第１の照明器具１００と同じ明るさで第２の照明器具２００を点灯させることができる。
【０１１１】
また、交流−直流変換器は、一般に、小電力出力では変換効率が悪化する。この点で、第２の照明器具が変換器を個別に備える場合と比べて、変換器の小電力出力を回避できるので、変換器の変換効率を向上させ、省小電力化することができる。光源部が発光効率の高い固体発光素子を有することにより省電力化することできる。
【０１１２】
さらに、第２の照明器具が変換器を個別に備える場合と比べて、第２の照明器具を軽量化することができる。
【０１１３】
ここで、第１の照明器具１００は、さらに、消費電力の削減を指示するデマンドを受信する受信部１４を備え、制御部１６は、受信部１４によりデマンドが受信されたとき、光源部を減光または消灯するように駆動部１３を制御してもよい。
【０１１４】
これによれば、デマンドに応じて減光または消灯するので、さらに省電力化することができる。
【０１１５】
ここで、第１の照明器具は、さらに、充電可能な蓄電池２０と、消費電力の削減を指示するデマンドを受信する受信部１４ａとを備え、制御部１６は、受信部１４によりデマンドが受信されたとき、変換部から駆動部１３への直流電圧の供給を停止し、蓄電池２０から駆動部１３に直流電圧を供給させてもよい。
【０１１６】
これによれば、デマンドに応じて電源供給元を交流電源から蓄電池に切り替えるので、外部電力の消費を低減することができる。
【０１１７】
ここで、制御部１６は、夜間の第１の時間帯以外では蓄電池の充電を禁止してもよい。
【０１１８】
これによれば、電気料金の安い深夜電力により蓄電池を充電することができるので、さらにトータルの電気料金コストを低減することができる。
【０１１９】
ここで、制御部１６は、昼間の第２の時間帯以外ではデマンドを無視してもよい。
【０１２０】
これによれば、デマンドに応じて交流電源から蓄電池に切り替えるので、昼間のピーク消費電力を低減することができる。
【０１２１】
ここで、第１の照明器具１００内および第２の照明器具２００内の光源部１０はそれぞれ、第１の色の照明光を発する第１の光源１０ｗと、第２の色の照明光を発する第２の光源１０ｒとを備え、駆動部は、駆動電圧として第１の点灯電圧と第２の点灯電圧とを生成し、第１の照明器具１００内の第１、第２の光源に、第１、第２の点灯電圧をそれぞれ供給し、第１の照明器具１００は、さらに、調光を指示する調光コマンドおよび調色を指示する調色コマンドを受信する通信部１４ｂを備え、制御部１６は、受信部１４により調光を指示するコマンドが受信されたとき、当該コマンドに応じた明るさにするように、調光レベルを指示する第１および第２の調光信号を駆動部に出力し、駆動部１３は、第１および第２の調光レベルに応じて第１および第２の点灯電圧を生成し、通信部１４ｂにより調色を指示するコマンドが受信されたとき、当該コマンドに応じた照明色にするように第１の調光信号の調光レベルと第２の調光信号の調光レベルとの比率を調整してもよい。
【０１２２】
これによれば、さらに、第２の照明器具のそれぞれを、第１の照明器具と同じ明るさ、同じ照明色または同じ色温度にすることができる。つまり、第１の照明器具の制御の下で第１の照明器具および各第２の照明器具を、調色コマンド従って照明色を変更することができる。例えば、第１、第２の色が白色、赤色であれば、照明色を赤っぽい色から白っぽい色まで変更することができる。また、例えば、第１、第２の色が三原色のうちの２つであり、もう一色に対応する光源も備えれば、第２の照明器具のそれぞれを、第１の照明器具と同じ明るさ、同じ照明色に幅広く変更することができる。
【０１２３】
ここで、第１の照明器具１００と第２の照明器具２００は、第１の点灯電圧および第２の点灯電圧を伝達する配線により接続され、第２の照明器具２００内の第１の光源は、第１の照明器具１００から配線を介して供給される第１の点灯電圧により発光し、第２の照明器具２００内の第２の光源は、第１の照明器具１００から配線を介して供給される第２の点灯電圧により発光してもよい。
【０１２４】
これによれば、第２の照明器具２００は、調色を制御する回路を備える必要がなく、低コスト化することができる。また、第1の電圧信号、第２の点灯電圧、グラウンド電圧の３種類の実質３線で第１の照明器具１００と接続でき、配線が容易で、配線コストを低減することができる。
【０１２５】
ここで、第１の照明器具１００と第２の照明器具２００とは、第１の点灯電圧を伝達する配線により接続され、第１の照明器具は、さらに、第１の点灯電圧に、照明色を示すデータを重畳する変調部を備え、第２の照明器具１００は、さらに、第１の照明器具１００から供給される第１の点灯電圧から照明色を示すデータを復調する復調部２５と、第１の照明器具から供給される第１または第２の点灯電圧が入力され、復調されたデータに従って第１の点灯電圧および第２の点灯電圧を生成し、第２の照明器具２００内の第１および第２の光源に供給する調色制御部２６とを備えてもよい。
【０１２６】
これによれば、第２の照明器具２００は、調色制御部を備えれば、第1の点灯電圧と、グラウンド電圧との２種類の実質２線で第１の照明器具１００と接続でき、配線が容易で、配線コストを低減することができる。
【０１２７】
ここで、第１の照明器具１００と第２の照明器具２００とは、第１の点灯電圧を伝達する配線３０により接続され、第１の照明器具は、さらに、光源部の明るさと照明色とを対応させた調色データを記憶するメモリ２７を有し、制御部１６は、受信部１４により調光を指示するコマンドが受信されたとき、当該コマンドに応じた明るさにするように、第１および第２の点灯電圧に対応する調光レベルを指示する第１および第２の調光信号を駆動部に出力し、かつ、調色データに示される照明色にするように第１の調光信号の調光レベルと第２の調光信号の調光レベルとの比率を調整し、第２の照明器具２００は、さらに、調色データを記憶するメモリ２７と、第１の照明器具から配線を介して供給される第１点灯電圧が入力され、調色データに示された照明色になるように第２の点灯電圧を生成し、第２の照明器具２００内の第２の光源に供給する調色制御部２６とを備えてもよい。
【０１２８】
これによれば、調色は調光と連動、つまり、調光により明るさを変化させれば照明色も自動的に変更される。また、第２の照明器具２００は、調色データに従う調色制御部を備えれば、第1の電圧または第２の点灯電圧と、グラウンド電圧との２種類の実質２線で第１の照明器具１００と接続でき、配線が容易で、配線コストを低減することができる。
【０１２９】
ここで、第１の照明器具１００は、さらに、第１の照明器具１００近辺または第２の照明器具２００近辺の人の在不在を検知する人感センサ１５を備え、制御部１６は、人感センサ１５が人の不在を検知したとき、光源部を減光または消灯するように駆動部を制御してもよい。
【０１３０】
これによれば、人が不在のとき光源部を減光または消灯するので、さらに省電力化することができる。
【０１３１】
ここで、制御部１６は、特定の時間帯以外では人感センサ１５の検知を禁止してもよい。
【０１３２】
これによれば、例えば、特定の時間帯を深夜の時間帯に設定すれば、人が居ないときは減光または消灯させ、人が存在するときは点灯させることができる。
【０１３３】
ここで、駆動部は、直流電圧を、調光レベルに応じた電圧値をもつ駆動電圧、および、調光レベルに応じてパルス変調した駆動電圧の一方に変換し、第１の照明器具および第２の照明器具は、実質的に２線を有するケーブルによって接続されるとしてもよい。
【０１３４】
これによれば、第２の照明器具２００は、駆動電圧とグラウンド電圧の実質２線で第１の照明器具１００と接続でき、配線が容易で、配線コストを低減することができる。
【０１３５】
ここで、第１の照明器具１００内の光源部１０および第２の照明器具２００内の光源部１０はそれぞれ、互いに異なる発光色の第１の光源１０ｗ等と第２の光源１０ｒ等とを備え、駆動部１３は、駆動電圧として、第１の光源１０ｗ等用の第１の点灯電圧と、第２の光源１０ｒ等用の第２の点灯電圧を生成し、第１の照明器具および第２の照明器具は、実質的に３線を有するケーブルにより接続されしてもよい。
【０１３６】
これによれば、第２の照明器具２００は、調色を制御する回路を備える必要がなく、第1の点灯電圧と、第２の点灯電圧と、グラウンド電圧との３種類の実質３線で第１の照明器具１００と接続でき、配線が容易で、配線コストを低減することができる。
【０１３７】
以上、本発明に係る照明システムについて、実施の形態に基づいて説明したが、本発明は、実施の形態に限定されるものではない。本発明の主旨を逸脱しない限り、当業者が思いつく各種変形を本実施の形態に施したものや、実施の形態および変形例における一部の構成要素を任意に組み合わせて構築される別の形態も、本発明の範囲内に含まれる。
【符号の説明】
【０１３８】
１０  光源部
１０ｗ、１０ｒ、１０ｇ、１０ｂ  光源（第１の光源／第２の光源）
１１  点灯装置
１２  ＡＣ−ＤＣ変換部（変換部）
１３  駆動部
１４  受信部
１５  人感センサ
１６  制御部
１７  変調部
２０  蓄電池
２５  復調部
２６  調色制御部
２７  メモリ
３０  ケーブル（配線）
１００  第１の照明器具
２００  第２の照明器具
【図１】
2016213140.tif 000003
【図２】
2016213140.tif 000004
【図３】
2016213140.tif 000005
【図４】
2016213140.tif 000006
【図５】
2016213140.tif 000007
【図６】
2016213140.tif 000008
【図７】
2016213140.tif 000009
【図８】
2016213140.tif 000010
【図９Ａ】
2016213140.tif 000011
【図９Ｂ】
2016213140.tif 000012
【図１０Ａ】
2016213140.tif 000013
【図１０Ｂ】
2016213140.tif 000014
【図１１Ａ】
2016213140.tif 000015
【図１１Ｂ】
2016213140.tif 000016
【図１２】
2016213140.tif 000017
【図１３Ａ】
2016213140.tif 000018
【図１３Ｂ】
2016213140.tif 000019
【図１４】
2016213140.tif 000020
【図１５Ａ】
2016213140.tif 000021
【図１５Ｂ】
2016213140.tif 000022
【図１５Ｃ】
2016213140.tif 000023
【図１６】
2016213140.tif 000024
【図１７】
2016213140.tif 000025
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
第１の照明器具と、
前記第１の照明器具から供給される駆動電圧により照明する、少なくとも１つの第２の照明器具とを備え、
前記第１の照明器具は、
交流電圧を直流電圧に変換する変換部と、
前記直流電圧を、照明器具の発光強度を表す調光レベルに応じた前記駆動電圧に変換する駆動部と、
前記駆動電圧により発光する固体発光素子を有する光源部と、
前記調光レベルを前記駆動部に指示する制御部と
を有し、
前記第２の照明器具は、
前記第１の照明器具から供給される前記駆動電圧により発光する光源部を有する
照明システム。
【請求項２】
前記第１の照明器具は、さらに、
消費電力の削減を指示するデマンドを受信する受信部を備え、
前記制御部は、前記受信部により前記デマンドが受信されたとき、前記光源部を減光または消灯するように前記駆動部を制御する
請求項１に記載の照明システム。
【請求項３】
前記第１の照明器具は、さらに、
充電可能な蓄電池と、
消費電力の削減を指示するデマンドを受信する受信部とを備え、
前記制御部は、前記受信部により前記デマンドが受信されたとき、前記変換部から駆動部への前記直流電圧の供給を停止し、前記蓄電池から駆動部に直流電圧を供給させる
請求項１に記載の照明システム。
【請求項４】
前記制御部は、第１の時間帯以外では前記蓄電池の充電を禁止する
請求項３に記載の照明システム。
【請求項５】
前記制御部は、第２の時間帯以外では前記デマンドを無視する
請求項３または４に記載の照明システム。
【請求項６】
前記第１の照明器具内および前記第２の照明器具内の前記光源部はそれぞれ、第１の色の照明光を発する第１の光源と、第２の色の照明光を発する第２の光源とを備え、
前記駆動部は、前記駆動電圧として第１の点灯電圧と第２の点灯電圧とを生成し、前記第１の照明器具内の前記第１、第２の光源に、前記第１、第２の点灯電圧をそれぞれ供給し、
前記第１の照明器具は、さらに、調光を指示する調光コマンドおよび調色を指示する調色コマンドを受信する通信部を備え、
前記制御部は、
前記通信部により調光を指示するコマンドが受信されたとき、当該コマンドに応じた明るさにするように、前記第１の光源の調光レベルを指示する第１の調光信号、および前記第２１の光源の調光レベルを指示する第２の調光信号を前記駆動部に出力し、
前記駆動部は、第１および第２の調光レベルに応じて第１および第２の点灯電圧を生成し、
前記通信部により調色を指示するコマンドが受信されたとき、当該コマンドに応じた照明色にするように前記第１の調光信号の調光レベルと第２の調光信号の調光レベルとの比率を調整する
請求項１〜５の何れか１項に記載の照明システム。
【請求項７】
前記第１の照明器具と前記第２の照明器具は、前記第１の点灯電圧および前記第２の点灯電圧を伝達する配線により接続され、
前記第２の照明器具内の前記第１の光源は、前記第１の照明器具から前記配線を介して供給される前記第１の点灯電圧により発光し、
前記第２の照明器具内の第２の光源は、前記第１の照明器具から前記配線を介して供給される前記第２の点灯電圧により発光する
請求項６に記載の照明システム。
【請求項８】
前記第１の照明器具と前記第２の照明器具とは、前記第１の点灯電圧を伝達する配線により接続され、
前記第１の照明器具は、さらに、前記第１の点灯電圧に、前記照明色を示すデータを重畳する変調部を備え、
前記第２の照明器具は、さらに、前記第１の照明器具から供給される前記第１の点灯電圧から前記照明色を示すデータを復調する復調部と、
前記第１の照明器具から供給される第１または第２の点灯電圧が入力され、復調されたデータに従って前記第１の点灯電圧および前記第２の点灯電圧を生成し、前記第２の照明器具内の前記第１および第２の光源に供給する調色制御部とを備える
請求項６に記載の照明システム。
【請求項９】
前記第１の照明器具と前記第２の照明器具とは、前記第１の点灯電圧を伝達する配線により接続され、
前記第１の照明器具は、さらに、
前記光源部の明るさと照明色とを対応させた調色データを記憶するメモリを有し、
前記制御部は、前記通信部により調光を指示するコマンドが受信されたとき、当該コマンドに応じた明るさにするように、前記第１および第２の点灯電圧に対応する調光レベルを指示する第１および第２の調光信号を前記駆動部に出力し、かつ、前記調色データに示される照明色にするように前記第１の調光信号の調光レベルと第２の調光信号の調光レベルとの比率を調整し、
前記第２の照明器具は、さらに、前記調色データを記憶するメモリと、
前記第１の照明器具から前記配線を介して供給される第１点灯電圧が入力され、前記調色データに示された照明色になるように前記第２の点灯電圧を生成し、前記第２の照明器具内の第２の光源に供給する調色制御部とを備える
請求項６に記載の照明システム。
【請求項１０】
前記第１の照明器具は、さらに、前記第１の照明器具近辺または前記第２の照明器具近辺の人の在不在を検知する人感センサを備え、
前記制御部は、前記人感センサが人の不在を検知したとき、前記光源部を減光または消灯するように前記駆動部を制御する
請求項１〜９の何れか１項に記載の照明システム。
【請求項１１】
前記制御部は、特定の時間帯以外では前記人感センサの検知を禁止する
請求項１０に記載の照明システム。
【請求項１２】
前記駆動部は、前記直流電圧を、調光レベルに応じた電圧値をもつ前記駆動電圧、および、調光レベルに応じてパルス変調した前記駆動電圧の一方に変換し、
前記第１の照明器具および前記第２の照明器具は、実質的に２線を有するケーブルによって接続される
請求項１〜５、８および９の何れか１項に記載の照明システム。
【請求項１３】
前記第１の照明器具内の前記光源部および前記第２の照明器具内の前記光源部はそれぞれ、互いに異なる発光色の第１の光源と第２の光源とを備え、
前記駆動部は、前記駆動電圧として、前記第１の光源用の第１の点灯電圧と、前記第２の光源用の第２の点灯電圧を生成し、
前記第１の照明器具および前記第２の照明器具は、実質的に３線を有するケーブルにより接続される
請求項１〜５の何れか１項に記載の照明システム。
【手続補正２】
【補正対象書類名】明細書
【補正対象項目名】００２３
【補正方法】変更
【補正の内容】
【００２３】
駆動部１３は、直流電圧ＤＣ１または直流電圧ＤＣ２を調光レベルに応じた駆動電圧ＤＣに変換し、光源部１０に供給する。具体的には、駆動部１３は、駆動電圧ＤＣとして第１の点灯電圧および第２の点灯電圧を生成し、第１の点灯電圧を光源１０ｗに、第２の点灯電圧を光源１０ｒに供給する。上記の駆動電圧ＤＣは第１の点灯電圧と第２の点灯電圧とを含む。同図では、駆動部１３は、駆動回路１３ｗと駆動回路１３ｒとを備える。調光レベルとは、光源が発光する明るさを示す割合である。例えば、光源が発光する最大の明るさに対する割合で表すことができる。調光レベルは、割合に限らず、光源が発光する明るさをそのまま示すようにしても構わない。
【手続補正３】
【補正対象書類名】明細書
【補正対象項目名】０１１７
【補正方法】変更
【補正の内容】
【０１１７】
ここで、制御部１６は、夜間の時間帯のうち所定の時間帯である第１の時間帯以外では蓄電池の充電を禁止してもよい。
【手続補正４】
【補正対象書類名】明細書
【補正対象項目名】０１１８
【補正方法】変更
【補正の内容】
【０１１８】
これによれば、電気料金が安価に設定されることの多い深夜電力により蓄電池を充電することができるので、さらにトータルの電気料金コストを低減することができる。
【手続補正５】
【補正対象書類名】明細書
【補正対象項目名】０１１９
【補正方法】変更
【補正の内容】
【０１１９】
ここで、制御部１６は、昼間の時間帯のうち所定の時間帯である第２の時間帯以外ではデマンドを無視してもよい。
【手続補正６】
【補正対象書類名】明細書
【補正対象項目名】０１２０
【補正方法】変更
【補正の内容】
【０１２０】
これによれば、デマンドに応じて交流電源から蓄電池に切り替えるので、昼間のピーク消費電力を低減することができる。
以上のように、昼間や夜間といった時間帯での電気料金コストが設定されるばかりでなく、昼間のうちの特定の時間帯や、夜間の特定の時間帯においても電気料金コストがきめ細かく設定されている場合に、電気料金コストが比較的安価な時間帯に電力を使用し、電気料金コストが比較的高価な時間帯には蓄電池を利用するという、きめ細かい制御に対応することができる。
【手続補正７】
【補正対象書類名】明細書
【補正対象項目名】０１２１
【補正方法】変更
【補正の内容】
【０１２１】
ここで、第１の照明器具１００内および第２の照明器具２００内の光源部１０はそれぞれ、第１の色の照明光を発する第１の光源１０ｗと、第２の色の照明光を発する第２の光源１０ｒとを備え、駆動部は、駆動電圧として第１の点灯電圧と第２の点灯電圧とを生成し、第１の照明器具１００内の第１、第２の光源に、第１、第２の点灯電圧をそれぞれ供給し、第１の照明器具１００は、さらに、調光を指示する調光コマンドおよび調色を指示する調色コマンドを受信する通信部１４ｂを備え、制御部１６は、通信部１４ｂにより調光を指示するコマンドが受信されたとき、当該コマンドに応じた明るさにするように、調光レベルを指示する第１および第２の調光信号を駆動部に出力し、駆動部１３は、第１および第２の調光レベルに応じて第１および第２の点灯電圧を生成し、通信部１４ｂにより調色を指示するコマンドが受信されたとき、当該コマンドに応じた照明色にするように第１の調光信号の調光レベルと第２の調光信号の調光レベルとの比率を調整してもよい。
【手続補正８】
【補正対象書類名】明細書
【補正対象項目名】０１２７
【補正方法】変更
【補正の内容】
【０１２７】
ここで、第１の照明器具１００と第２の照明器具２００とは、第１の点灯電圧を伝達する配線３０により接続され、第１の照明器具は、さらに、光源部の明るさと照明色とを対応させた調色データを記憶するメモリ２７を有し、制御部１６は、通信部１４ｂにより調光を指示するコマンドが受信されたとき、当該コマンドに応じた明るさにするように、第１および第２の点灯電圧に対応する調光レベルを指示する第１および第２の調光信号を駆動部に出力し、かつ、調色データに示される照明色にするように第１の調光信号の調光レベルと第２の調光信号の調光レベルとの比率を調整し、第２の照明器具２００は、さらに、調色データを記憶するメモリ２７と、第１の照明器具から配線を介して供給される第１点灯電圧が入力され、調色データに示された照明色になるように第２の点灯電圧を生成し、第２の照明器具２００内の第２の光源に供給する調色制御部２６とを備えてもよい。
【手続補正９】
【補正対象書類名】明細書
【補正対象項目名】０１３５
【補正方法】変更
【補正の内容】
【０１３５】
ここで、第１の照明器具１００内の光源部１０および第２の照明器具２００内の光源部１０はそれぞれ、互いに異なる発光色の第１の光源１０ｗ等と第２の光源１０ｒ等とを備
え、駆動部１３は、駆動電圧として、第１の光源１０ｗ等用の第１の点灯電圧と、第２の光源１０ｒ等用の第２の点灯電圧を生成し、第１の照明器具および第２の照明器具は、実質的に３線を有するケーブルにより接続されてもよい。